【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
ワイヤレスノードから、前記ワイヤレスノードにあるメモリを指定する１つまたは複数のパラメータと、前記ワイヤレスノードにある前記メモリ中の空きメモリ空間の量の指示とを受信するように構成されたインターフェースと、
空きメモリ空間の前記量の前記指示と前記１つまたは複数のパラメータとに基づいて、前記ワイヤレスノードに送信されるべきデータユニットの数を決定するように構成された処理システムと、
を備え、
前記インターフェースは、前記ワイヤレスノードへの送信のためにデータユニットを出力するようにさらに構成され、前記ワイヤレスノードへの送信のために出力される前記データユニットの数はデータユニットの前記決定された数に等しい、装置。
【請求項２】
前記インターフェースは、空きメモリ空間の前記量の前記指示を備えるブロック確認応答フレームを受信するようにさらに構成された、請求項１に記載の装置。
【請求項３】
前記インターフェースは、前記ワイヤレスノードへの送信のためにブロック確認応答の要求を出力するようにさらに構成され、前記ブロック確認応答フレームは、前記ブロック確認応答の要求の後に受信される、請求項２に記載の装置。
【請求項４】
前記装置によって送信請求されない前記ブロック確認応答フレームが受信される、請求項２に記載の装置。
【請求項５】
前記データユニットの各々は、媒体アクセス制御（ＭＡＣ）プロトコルデータユニット（ＭＰＤＵ）である、請求項１に記載の装置。
【請求項６】
前記インターフェースは、
前記ワイヤレスノードへの送信のために追加ブロック確認応答（ＡＤＤＢＡ）要求を出力することと、前記ＡＤＤＢＡ要求は、前記ワイヤレスノードとのブロック確認応答セッションを要求する、
前記ワイヤレスノードから、前記ＡＤＤＢＡ要求を出力した後に、前記１つまたは複数のパラメータを備えるＡＤＤＢＡ応答を受信することと、
を行うようにさらに構成された、請求項１に記載の装置。
【請求項７】
前記ワイヤレスノードにある前記メモリは、複数のバッファを備え、前記１つまたは複数のパラメータは、バッファサイズとバッファごとのデータユニットの数に対する制限とを含むか、または単一のデータユニットが前記複数のバッファのうちの２つ以上のバッファ間で分割され得るかどうかを示すパラメータを含む、請求項１に記載の装置。
【請求項８】
ワイヤレス通信のための装置であって、
ワイヤレスノードへの送信のために１つまたは複数のパラメータを出力するように構成されたインターフェースと、前記１つまたは複数のパラメータはメモリを指定する、
前記メモリ中の空きメモリ空間の量を計算するように構成された処理システムと、を備え、
前記インターフェースは、前記ワイヤレスノードへの送信のために空きメモリ空間の前記量の指示を出力するようにさらに構成される、
装置。
【請求項９】
前記１つまたは複数のパラメータは、メモリユニットのサイズを示すパラメータを含み、空きメモリ空間の前記量の前記指示は、前記メモリユニットに関して与えられる、請求項１または８に記載の装置。
【請求項１０】
前記処理システムは、空きメモリ空間の前記量の前記指示を備えるブロック確認応答フレームを生成するようにさらに構成され、
前記インターフェースは、前記ワイヤレスノードへの送信のために前記ブロック確認応答フレームを出力するようにさらに構成された、請求項８に記載の装置。
【請求項１１】
空きメモリ空間の前記量の前記指示は、前記ブロック確認応答フレームの受信機バッファ容量（ＲＢＵＦＣＡＰ）フィールド中にある、請求項２または１０に記載の装置。
【請求項１２】
前記インターフェースは、前記ワイヤレスノードからブロック確認応答の要求を受信するようにさらに構成され、
前記処理システムは、前記ブロック確認応答の要求に応答して、前記ブロック確認応答フレームを生成するようにさらに構成された、請求項１０に記載の装置。
【請求項１３】
前記処理システムは、前記ワイヤレスノードによって送信請求されない前記ブロック確認応答フレームを生成するように構成された、請求項１０に記載の装置。
【請求項１４】
前記インターフェースは、前記ワイヤレスノードから追加ブロック確認応答（ＡＤＤＢＡ）要求を受信するようにさらに構成され、前記ＡＤＤＢＡ要求は、前記ワイヤレスノードとのブロック確認応答セッションを要求し、
前記処理システムは、前記ＡＤＤＢＡ要求に応答して、ＡＤＤＢＡ応答を生成するようにさらに構成され、ここにおいて、前記ＡＤＤＢＡ応答は、前記１つまたは複数のパラメータを備え、
前記インターフェースは、前記ワイヤレスノードへの送信のために前記ＡＤＤＢＡ応答を出力するようにさらに構成された、請求項８に記載の装置。
【請求項１５】
前記メモリは複数のバッファを備え、前記１つまたは複数のパラメータは、バッファサイズとバッファごとのデータユニットの数に対する制限とを含むか、または単一のデータユニットが前記複数のバッファのうちの２つ以上のバッファ間で分割され得るかどうかを示すパラメータを含む、請求項８に記載の装置。
【手続補正２】
【補正対象書類名】明細書
【補正対象項目名】０１３７
【補正方法】変更
【補正の内容】
【０１３７】
[00150]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に、本願の出願当初の特許請求の範囲に記載された発明を付記する。
［Ｃ１］
ワイヤレス通信のための装置であって、
ワイヤレスノードから、前記ワイヤレスノードにあるメモリを指定する１つまたは複数のパラメータと、前記ワイヤレスノードにある前記メモリ中の空きメモリ空間の量の指示とを受信するように構成されたインターフェースと、
空きメモリ空間の前記量の前記指示と前記１つまたは複数のパラメータとに基づいて、前記ワイヤレスノードに送信されるべきデータユニットの数を決定するように構成された処理システムと、
を備え、
前記インターフェースは、前記ワイヤレスノードへの送信のためにデータユニットを出力するようにさらに構成され、前記ワイヤレスノードへの送信のために出力される前記データユニットの数はデータユニットの前記決定された数に等しい、装置。
［Ｃ２］
前記１つまたは複数のパラメータは、メモリユニットのサイズを示すパラメータを含み、空きメモリ空間の前記量の前記指示は、前記メモリユニットに関して与えられる、Ｃ１に記載の装置。
［Ｃ３］
前記インターフェースは、空きメモリ空間の前記量の前記指示を備えるブロック確認応答フレームを受信するようにさらに構成された、Ｃ１に記載の装置。
［Ｃ４］
空きメモリ空間の前記量の前記指示は、前記ブロック確認応答フレームの受信機バッファ容量（ＲＢＵＦＣＡＰ）フィールド中にある、Ｃ３に記載の装置。
［Ｃ５］
前記インターフェースは、前記ワイヤレスノードへの送信のためにブロック確認応答の要求を出力するようにさらに構成され、前記ブロック確認応答フレームは、前記ブロック確認応答の要求の後に受信される、Ｃ３に記載の装置。
［Ｃ６］
前記装置によって送信請求されない前記ブロック確認応答フレームが受信される、Ｃ３に記載の装置。
［Ｃ７］
前記データユニットの各々は、媒体アクセス制御（ＭＡＣ）プロトコルデータユニット（ＭＰＤＵ）である、Ｃ１に記載の装置。
［Ｃ８］
前記インターフェースは、
前記ワイヤレスノードへの送信のために追加ブロック確認応答（ＡＤＤＢＡ）要求を出力することと、前記ＡＤＤＢＡ要求は、前記ワイヤレスノードとのブロック確認応答セッションを要求する、
前記ワイヤレスノードから、前記ＡＤＤＢＡ要求を出力した後に、前記１つまたは複数のパラメータを備えるＡＤＤＢＡ応答を受信することと、
を行うようにさらに構成された、Ｃ１に記載の装置。
［Ｃ９］
前記ＡＤＤＢＡ要求は、データトラフィックを識別するトラフィック識別子を含み、前記データユニットは、前記識別されたデータトラフィックの部分である、Ｃ８に記載の装置。
［Ｃ１０］
前記インターフェースは、
前記ワイヤレスノードから、前記１つまたは複数のパラメータを備える追加トラフィック（ＡＤＤＴＳ）要求を受信することと、
前記ワイヤレスへの送信のためにＡＤＤＴＳ応答を出力することと、前記ＡＤＤＴＳ応答は、前記ＡＤＤＴＳ要求を確認応答する、
を行うようにさらに構成された、Ｃ１に記載の装置。
［Ｃ１１］
前記ワイヤレスノードにある前記メモリは、複数のバッファを備え、前記１つまたは複数のパラメータは、バッファサイズとバッファごとのデータユニットの数に対する制限とを含む、Ｃ１に記載の装置。
［Ｃ１２］
前記１つまたは複数のパラメータは、複数の異なるメモリタイプのためのパラメータを含む、Ｃ１に記載の装置。
［Ｃ１３］
前記複数の異なるメモリタイプは、先入れ先出し方式（ＦＩＦＯ）メモリとバッファメモリとを含む、Ｃ１２に記載の装置。
［Ｃ１４］
前記インターフェースは、前記複数の異なるメモリタイプのうちの１つを示すインジケータを受信するようにさらに構成され、
前記処理システムは、前記複数の異なるメモリタイプのうちの前記示された１つにも基づいて、前記ワイヤレスノードに送信されるべきデータユニットの前記数を決定するように構成された、Ｃ１２に記載の装置。
［Ｃ１５］
前記インターフェースは、ブロック確認応答中で前記複数の異なるメモリタイプのうちの前記１つを示す前記インジケータを受信するように構成された、Ｃ１４に記載の装置。
［Ｃ１６］
前記インターフェースは、複数のトラフィック識別子を受信するようにさらに構成され、前記トラフィック識別子の各々が、それぞれのデータトラフィックを識別し、
前記インターフェースは、前記識別されたデータトラフィックのうちの少なくとも１つを使用した送信のために前記データユニットを出力するようにさらに構成された、Ｃ１に記載の装置。
［Ｃ１７］
前記ワイヤレスノードにある前記メモリは複数のバッファを備え、前記１つまたは複数のパラメータは、単一のデータユニットが２つ以上の前記複数のバッファの間で分割され得るかどうかを示すパラメータを含む、Ｃ１に記載の装置。
［Ｃ１８］
前記インターフェースは、前記ワイヤレスノードの１つまたは複数の能力を示す能力要素を受信するように構成され、
前記処理システムは、前記１つまたは複数の示された能力にも基づいて、前記ワイヤレスノードに送信されるべきデータユニットの前記数を決定するように構成された、Ｃ１に記載の装置。
［Ｃ１９］
前記インターフェースは、追加ブロック確認応答の応答が、ブロック確認応答セッションを要求する追加ブロック確認応答の要求によって送信請求されない場合、０に設定されたダイアログトークンを含む前記追加ブロック確認応答の応答を受信するようにさらに構成され、
前記処理システムは、前記ダイアログトークンが０に設定される場合、前記ブロック確認応答の応答の１つまたは複数のパラメータを無視するようにさらに構成され、ここにおいて、前記１つまたは複数のパラメータは、前記ブロック確認応答セッションに関連付けられる、Ｃ１に記載の装置。
［Ｃ２０］
前記インターフェースは、
前記ワイヤレスノードにある空きメモリ空間の別の量、
前記ワイヤレスノードにある前記メモリにおいて利用可能な空間がないこと、または、
最大長を有する集約データユニットのために前記ワイヤレスノードにある前記メモリ中に十分な空間があること、
を示す別の指示を受信するようにさらに構成され、
前記処理システムは、前記別の指示にも基づいて、前記ワイヤレスノードに送信されるべきデータユニットの前記数を決定するように構成された、Ｃ１に記載の装置。
［Ｃ２１］
前記１つまたは複数のパラメータは、メモリユニットのサイズを示すパラメータを含み、
空きメモリ空間の前記別の量の前記指示は、前記メモリユニットに関して与えられる、Ｃ２０に記載の装置。
［Ｃ２２］
ワイヤレス通信のための方法であって、
ワイヤレスノードから、前記ワイヤレスノードにあるメモリを指定する１つまたは複数のパラメータを受信することと、
前記ワイヤレスノードから、前記ワイヤレスノードにある前記メモリ中の空きメモリ空間の量の指示を受信することと、
空きメモリ空間の前記量の前記指示と前記１つまたは複数のパラメータとに基づいて、前記ワイヤレスノードに送信されるべきデータユニットの数を決定することと、
前記ワイヤレスノードへの送信のためにデータユニットを出力することと、ここにおいて、前記ワイヤレスノードへの送信のために出力される前記データユニットの数はデータユニットの前記決定された数に等しい、
を備える、方法。
［Ｃ２３］
前記１つまたは複数のパラメータは、メモリユニットのサイズを示すパラメータを含み、空きメモリ空間の前記量の前記指示は、前記メモリユニットに関して与えられる、Ｃ２２に記載の方法。
［Ｃ２４］
空きメモリ空間の前記量の前記指示を備えるブロック確認応答フレームを受信することをさらに備える、Ｃ２２に記載の方法。
［Ｃ２５］
空きメモリ空間の前記量の前記指示は、前記ブロック確認応答フレームの受信機バッファ容量（ＲＢＵＦＣＡＰ）フィールド中にある、Ｃ２４に記載の方法。
［Ｃ２６］
前記ワイヤレスノードへの送信のためにブロック確認応答の要求を出力すること、ここにおいて、前記ブロック確認応答フレームは、ブロック確認応答の要求の後に受信される、をさらに備える、Ｃ２４に記載の方法。
［Ｃ２７］
送信請求されない前記ブロック確認応答フレームが受信される、Ｃ２４に記載の方法。
［Ｃ２８］
前記データユニットの各々は、媒体アクセス制御（ＭＡＣ）プロトコルデータユニット（ＭＰＤＵ）である、Ｃ２２に記載の方法。
［Ｃ２９］
前記ワイヤレスノードへの送信のために追加ブロック確認応答（ＡＤＤＢＡ）要求を出力することと、前記ＡＤＤＢＡ要求は、前記ワイヤレスノードとのブロック確認応答セッションを要求する、
前記ワイヤレスノードから、前記ＡＤＤＢＡ要求を出力した後に、前記１つまたは複数のパラメータを備えるＡＤＤＢＡ応答を受信することと、
をさらに備える、Ｃ２２に記載の方法。
［Ｃ３０］
前記ＡＤＤＢＡ要求は、データトラフィックを識別するトラフィック識別子を含み、前記データユニットは、前記識別されたデータトラフィックの部分である、Ｃ２９に記載の方法。
［Ｃ３１］
前記ワイヤレスノードから、前記１つまたは複数のパラメータを備える追加トラフィック（ＡＤＤＴＳ）要求を受信することと、
前記ワイヤレスへの送信のためにＡＤＤＴＳ応答を出力することと、前記ＡＤＤＴＳ応答は、前記ＡＤＤＴＳ要求を確認応答する、
をさらに備える、Ｃ２２に記載の方法。
［Ｃ３２］
前記ワイヤレスノードにある前記メモリは、複数のバッファを備え、前記１つまたは複数のパラメータは、バッファサイズとバッファごとのデータユニットの数に対する制限とを含む、Ｃ２２に記載の方法。
［Ｃ３３］
前記１つまたは複数のパラメータは、複数の異なるメモリタイプのためのパラメータを含む、Ｃ２２に記載の方法。
［Ｃ３４］
前記複数の異なるメモリタイプは、先入れ先出し方式（ＦＩＦＯ）メモリとバッファメモリとを含む、Ｃ３３に記載の方法。
［Ｃ３５］
前記複数の異なるメモリタイプのうちの１つを示すインジケータを受信することをさらに備え、前記ワイヤレスノードに送信されるべきデータユニットの前記数の前記決定は、前記複数の異なるメモリタイプのうちの前記示された１つにも基づく、Ｃ３３に記載の方法。
［Ｃ３６］
前記複数の異なるメモリタイプのうちの前記１つを示す前記インジケータを備えるブロック確認応答を受信することをさらに備える、Ｃ３５に記載の方法。
［Ｃ３７］
複数のトラフィック識別子を受信することをさらに備え、前記トラフィック識別子の各々は、それぞれのデータトラフィックを識別し、
送信のために前記１つまたは複数のデータユニットを出力することは、前記データトラフィックのうちの少なくとも１つを使用した送信のために前記１つまたは複数のデータユニットを出力することを備える、
Ｃ２２に記載の方法。
［Ｃ３８］
前記ワイヤレスノードにある前記メモリは複数のバッファを備え、前記１つまたは複数のパラメータは、単一のデータユニットが２つ以上の前記複数のバッファの間で分割され得るかどうかを示すパラメータを含む、Ｃ２２に記載の方法。
［Ｃ３９］
前記ワイヤレスノードの１つまたは複数の能力を示す能力要素を受信すること、をさらに備え、
前記ワイヤレスノードに送信されるべきデータユニットの前記数を決定することは、前記１つまたは複数の示された能力にも基づく、
をさらに備える、Ｃ２２に記載の方法。
［Ｃ４０］
追加ブロック確認応答の応答が、ブロック確認応答セッションを要求する追加ブロック確認応答の要求によって送信請求されない場合、０に設定されたダイアログトークンを含む前記追加ブロック確認応答の応答を受信することと、
前記ダイアログトークンが０に設定される場合、前記ブロック確認応答の応答の１つまたは複数のパラメータを無視することと、ここにおいて、前記１つまたは複数のパラメータは、前記ブロック確認応答セッションに関連付けられる、
をさらに備える、Ｃ２２に記載の方法。
［Ｃ４１］
前記ワイヤレスノードにある空きメモリ空間の別の量、
前記ワイヤレスノードにある前記メモリにおいて利用可能な空間がないこと、または、  最大長を有する集約データユニットのために前記ワイヤレスノードにある前記メモリ中に十分な空間があること、
を示す別の指示を受信することをさらに備え、
前記ワイヤレスノードに送信されるべきデータユニットの前記数を決定することは、前記別の指示にも基づく、
Ｃ２２に記載の方法。
［Ｃ４２］
前記１つまたは複数のパラメータは、メモリユニットのサイズを示すパラメータを含み、
空きメモリ空間の前記別の量の前記指示は、前記メモリユニットに関して与えられる、Ｃ４１に記載の方法。
［Ｃ４３］
ワイヤレス通信のための装置であって、
ワイヤレスノードから、前記ワイヤレスノードにあるメモリを指定する１つまたは複数のパラメータを受信するための手段と、
前記ワイヤレスノードから、前記ワイヤレスノードにある前記メモリ中の空きメモリ空間の量の指示を受信するための手段と、
空きメモリ空間の前記量の前記指示と前記１つまたは複数のパラメータとに基づいて、前記ワイヤレスノードに送信されるべきデータユニットの数を決定するための手段と、  前記ワイヤレスノードへの送信のためにデータユニットを出力するための手段と、ここにおいて、前記ワイヤレスノードへの送信のために出力される前記データユニットの数がデータユニットの前記決定された数に等しい、
を備える、装置。
［Ｃ４４］
前記１つまたは複数のパラメータは、メモリユニットのサイズを示すパラメータを含み、空きメモリ空間の前記量の前記指示は、前記メモリユニットに関して与えられる、Ｃ４３に記載の装置。
［Ｃ４５］
空きメモリ空間の前記量の前記指示を備えるブロック確認応答フレームを受信するための手段をさらに備える、Ｃ４３に記載の装置。
［Ｃ４６］
空きメモリ空間の前記量の前記指示は、前記ブロック確認応答フレームの受信機バッファ容量（ＲＢＵＦＣＡＰ）フィールド中にある、Ｃ４５に記載の装置。
［Ｃ４７］
前記ワイヤレスノードへの送信のためにブロック確認応答の要求を出力するための手段、ここにおいて、前記ブロック確認応答フレームは、前記ブロック確認応答の要求の後に受信される、をさらに備える、Ｃ４５に記載の装置。
［Ｃ４８］
前記装置によって送信請求されない前記ブロック確認応答フレームが受信される、Ｃ４５に記載の装置。
［Ｃ４９］
前記データユニットの各々は、媒体アクセス制御（ＭＡＣ）プロトコルデータユニット（ＭＰＤＵ）である、Ｃ４３に記載の装置。
［Ｃ５０］
前記ワイヤレスノードへの送信のために追加ブロック確認応答（ＡＤＤＢＡ）要求を出力するための手段と、前記ＡＤＤＢＡ要求は、前記ワイヤレスノードとのブロック確認応答セッションを要求する、
前記ワイヤレスノードから、前記ＡＤＤＢＡ要求を出力した後に、前記１つまたは複数のパラメータを備えるＡＤＤＢＡ応答を受信するための手段と、
をさらに備える、Ｃ４３に記載の装置。
［Ｃ５１］
前記ＡＤＤＢＡ要求は、データトラフィックを識別するトラフィック識別子を含み、前記データユニットは、前記識別されたデータトラフィックの部分である、Ｃ５０に記載の装置。
［Ｃ５２］
前記ワイヤレスノードから、前記１つまたは複数のパラメータを備える追加トラフィック（ＡＤＤＴＳ）要求を受信するための手段と、
前記ワイヤレスへの送信のためにＡＤＤＴＳ応答を出力するための手段と、前記ＡＤＤＴＳ応答は、前記ＡＤＤＴＳ要求を確認応答する、
をさらに備える、Ｃ４３に記載の装置。
［Ｃ５３］
前記ワイヤレスノードにある前記メモリは、複数のバッファを備え、前記１つまたは複数のパラメータは、バッファサイズとバッファ当たりのデータユニットの数に対する制限とを含む、Ｃ４３に記載の装置。
［Ｃ５４］
前記１つまたは複数のパラメータは、複数の異なるメモリタイプのためのパラメータを含む、Ｃ４３に記載の装置。
［Ｃ５５］
前記複数の異なるメモリタイプは、先入れ先出し方式（ＦＩＦＯ）メモリとバッファメモリとを含む、Ｃ５４に記載の装置。
［Ｃ５６］
前記複数の異なるメモリタイプのうちの１つを示すインジケータを受信するための手段をさらに備え、
前記ワイヤレスノードに送信されるべきデータユニットの前記数を決定するための前記手段は、前記複数の異なるメモリタイプのうちの前記示された１つにも基づいて、前記ワイヤレスノードに送信されるべきデータユニットの前記数を決定する、
Ｃ５４に記載の装置。
［Ｃ５７］
前記複数の異なるメモリタイプのうちの前記１つを示す前記インジケータを備えるブロック確認応答を受信するための手段をさらに備える、Ｃ５６に記載の装置。
［Ｃ５８］
複数のトラフィック識別子を受信するための手段をさらに備え、前記トラフィック識別子の各々は、それぞれのデータトラフィックを識別し、
送信のために前記１つまたは複数のデータユニットを出力するための前記手段は、前記データトラフィックのうちの少なくとも１つを使用した送信のために前記１つまたは複数のデータユニットを出力する、
Ｃ４３に記載の装置。
［Ｃ５９］
前記ワイヤレスノードにある前記メモリは複数のバッファを備え、前記１つまたは複数のパラメータは、単一のデータユニットが２つ以上の前記複数のバッファの間で分割され得るかどうかを示すパラメータを含む、Ｃ４３に記載の装置。
［Ｃ６０］
前記ワイヤレスノードの１つまたは複数の能力を示す能力要素を受信するための手段、をさらに備え、
前記ワイヤレスノードに送信されるべきデータユニットの前記数を決定するための前記手段は、前記１つまたは複数の示された能力にも基づいて、前記ワイヤレスノードに送信されるべきデータユニットの前記数を決定する、
Ｃ４３に記載の装置。
［Ｃ６１］
追加ブロック確認応答の応答が、ブロック確認応答セッションを要求する追加ブロック確認応答の要求によって送信請求されない場合、０に設定されたダイアログトークンを含む前記追加ブロック確認応答の応答を受信するための手段と、
前記ダイアログトークンが０に設定される場合、前記ブロック確認応答の応答の１つまたは複数のパラメータを無視するための手段と、ここにおいて、前記１つまたは複数のパラメータは、前記ブロック確認応答セッションに関連付けられる、
をさらに備える、Ｃ４３に記載の装置。
［Ｃ６２］
前記ワイヤレスノードにある空きメモリ空間の別の量、
前記ワイヤレスノードにある前記メモリにおいて利用可能な空間がないこと、または、  最大長を有する集約データユニットのために前記ワイヤレスノードにある前記メモリ中に十分な空間があること、
を示す別の指示を受信するための手段、をさらに備え、
前記ワイヤレスノードに送信されるべきデータユニットの前記数を決定するための前記手段は、前記別の指示にも基づいて、送信されるべきデータユニットの前記数を決定する、
Ｃ４３に記載の装置。
［Ｃ６３］
前記１つまたは複数のパラメータは、メモリユニットのサイズを示すパラメータを含み、
空きメモリ空間の前記別の量の前記指示は、前記メモリユニットに関して与えられる、Ｃ６２に記載の装置。
［Ｃ６４］
コンピュータ可読媒体であって、
ワイヤレスノードから、前記ワイヤレスノードにあるメモリを指定する１つまたは複数のパラメータを受信することと、
前記ワイヤレスノードから、前記ワイヤレスノードにある前記メモリ中の空きメモリ空間の量の指示を受信することと、
空きメモリ空間の前記量の前記指示と前記１つまたは複数のパラメータとに基づいて、前記ワイヤレスノードに送信されるべきデータユニットの数を決定することと、
前記ワイヤレスノードへの送信のためにデータユニットを出力することと、ここにおいて、前記ワイヤレスノードへの送信のために出力される前記データユニットの数はデータユニットの前記決定された数に等しい、
を行うためにその上に記憶された命令を備えるコンピュータ可読媒体。
［Ｃ６５］
ワイヤレスノードであって、
別のワイヤレスノードから、前記別のワイヤレスノードにあるメモリを指定する１つまたは複数のパラメータと、前記別のワイヤレスノードにある前記メモリ中の空きメモリ空間の量の指示とを受信するように構成された受信機と、
空きメモリ空間の前記量の前記指示と前記１つまたは複数のパラメータとに基づいて、前記別のワイヤレスノードに送信されるべきデータユニットの数を決定するように構成された処理システムと、
前記別のワイヤレスノードにデータユニットを送信するように構成された送信機と、ここにおいて、前記別のワイヤレスノードに送信される前記データユニットの数はデータユニットの前記決定された数に等しい、
を備える、ワイヤレスノード。
［Ｃ６６］
ワイヤレス通信のための装置であって、
ワイヤレスノードへの送信のために１つまたは複数のパラメータを出力するように構成されたインターフェースと、前記１つまたは複数のパラメータはメモリを指定する、
前記メモリ中の空きメモリ空間の量を計算するように構成された処理システムと、を備え、
前記インターフェースは、前記ワイヤレスノードへの送信のために空きメモリ空間の前記量の指示を出力するようにさらに構成される、
装置。
［Ｃ６７］
前記１つまたは複数のパラメータは、メモリユニットのサイズを示すパラメータを含み、空きメモリ空間の前記量の前記指示は、前記メモリユニットに関して与えられる、Ｃ６６に記載の装置。
［Ｃ６８］
前記処理システムは、前記メモリのサイズと受信機バッファ容量（ＲＢＵＦＣＡＰ）フィールドの範囲とに基づいて、前記メモリユニットの前記サイズを計算するように構成された、Ｃ６７に記載の装置。
［Ｃ６９］
前記処理システムは、空きメモリ空間の前記量の前記指示を備えるブロック確認応答フレームを生成するようにさらに構成され、
前記インターフェースは、前記ワイヤレスノードへの送信のために前記ブロック確認応答フレームを出力するようにさらに構成された、Ｃ６６に記載の装置。
［Ｃ７０］
空きメモリ空間の前記量の前記指示は、前記ブロック確認応答フレームの受信機バッファ容量（ＲＢＵＦＣＡＰ）フィールド中にある、Ｃ６９に記載の装置。
［Ｃ７１］
前記ＲＢＵＦＣＡＰフィールドは、前記メモリ中に空間がないことを示す第１の値または前記メモリ中の無制限の空間を示す第２の値を有する、Ｃ７０に記載の装置。
［Ｃ７２］
前記インターフェースは、前記ワイヤレスノードからブロック確認応答の要求を受信するようにさらに構成され、
前記処理システムは、前記ブロック確認応答の要求に応答して、前記ブロック確認応答フレームを生成するようにさらに構成された、Ｃ６９に記載の装置。
［Ｃ７３］
前記処理システムは、前記ワイヤレスノードによって送信請求されない前記ブロック確認応答フレームを生成するように構成された、Ｃ６９に記載の装置。
［Ｃ７４］
前記処理システムは、
前記メモリ中の空きメモリ空間の前記量の変化を追跡することと、
前記変化をしきい値と比較することと、
前記変化が前記しきい値に等しいかまたはそれを上回る場合、前記ブロック確認応答フレームを生成することと、
を行うようにさらに構成された、Ｃ７３に記載の装置。
［Ｃ７５］
前記インターフェースは、前記ワイヤレスノードから追加ブロック確認応答（ＡＤＤＢＡ）要求を受信するようにさらに構成され、前記ＡＤＤＢＡ要求は、前記ワイヤレスノードとのブロック確認応答セッションを要求し、
前記処理システムは、前記ＡＤＤＢＡ要求に応答して、ＡＤＤＢＡ応答を生成するようにさらに構成され、ここにおいて、前記ＡＤＤＢＡ応答は、前記１つまたは複数のパラメータを備え、
前記インターフェースは、前記ワイヤレスノードへの送信のために前記ＡＤＤＢＡ応答を出力するようにさらに構成された、Ｃ６６に記載の装置。
［Ｃ７６］
前記処理システムは、前記１つまたは複数のパラメータを備える追加トラフィック（ＡＤＤＴＳ）要求を生成するようにさらに構成され、
前記インターフェースは、前記ワイヤレスノードへの送信のために前記追加トラフィック（ＡＤＤＴＳ）要求を出力するようにさらに構成され、
前記インターフェースは、前記ワイヤレスノードから、前記ＡＤＤＴＳ要求を確認応答するＡＤＤＴＳ応答を受信するようにさらに構成された、Ｃ６６に記載の装置。
［Ｃ７７］
前記処理システムは、前記メモリに入るデータの量と前記メモリから解放されるデータの量とを追跡することによって、空きメモリ空間の前記量を計算するように構成された、Ｃ６６に記載の装置。
［Ｃ７８］
前記メモリは複数のバッファを備え、前記１つまたは複数のパラメータは、バッファサイズとバッファごとのデータユニットの数に対する制限とを含む、Ｃ６６に記載の装置。
［Ｃ７９］
前記１つまたは複数のパラメータは、複数の異なるメモリタイプのためのパラメータを含む、Ｃ６６に記載の装置。
［Ｃ８０］
前記複数の異なるメモリタイプは、先入れ先出し方式（ＦＩＦＯ）メモリとバッファメモリとを含む、Ｃ７９に記載の装置。
［Ｃ８１］
前記インターフェースは、前記ワイヤレスノードへの送信のためにインジケータを出力するようにさらに構成され、前記インジケータは、前記複数の異なるメモリタイプのうちの１つを示す、Ｃ７９に記載の装置。
［Ｃ８２］
前記インターフェースは、前記ワイヤレスノードへの送信のためにブロック確認応答を出力するようにさらに構成され、前記ブロック確認応答は、前記複数の異なるメモリタイプのうちの前記１つを示す前記インジケータを備える、Ｃ８１に記載の装置。
［Ｃ８３］
前記インターフェースは、前記ワイヤレスノードへの送信のために複数のトラフィック識別子を出力するようにさらに構成され、前記トラフィック識別子の各々は、それぞれのデータトラフィックを識別し、
前記インターフェースは、前記識別されたデータトラフィックのうちの少なくとも１つを介して、前記ワイヤレスノードからデータユニットを受信するようにさらに構成された、Ｃ６６に記載の装置。
［Ｃ８４］
前記メモリは複数のバッファを備え、前記１つまたは複数のパラメータは、単一のデータユニットが前記複数のバッファのうちの２つ以上の間で分割され得るかどうかを示すパラメータを含む、Ｃ６６に記載の装置。
［Ｃ８５］
前記インターフェースは、前記ワイヤレスノードへの送信のために能力要素を出力するようにさらに構成され、前記能力要素は、前記装置の１つまたは複数の能力を示す、Ｃ６６に記載の装置。
［Ｃ８６］
前記インターフェースは、前記ワイヤレスノードへの送信のために追加ブロック確認応答の応答を出力するようにさらに構成され、前記追加ブロック確認応答の応答は、前記追加ブロック確認応答の応答が、ブロック確認応答セッションを要求する追加ブロック確認応答の要求によって送信請求されない場合、０に設定されたダイアログトークンを含む、Ｃ６６に記載の装置。
［Ｃ８７］
前記インターフェースは、前記ワイヤレスノードへの送信のために別の指示を出力するようにさらに構成され、前記別の指示は、
前記装置にある空きメモリ空間の別の量、
前記メモリにおいて利用可能な空間がないこと、または
最大長を有する集約データユニットのために前記メモリ中に十分な空間があること、  を示す、Ｃ６６に記載の装置。
［Ｃ８８］
前記１つまたは複数のパラメータは、メモリユニットのサイズを示すパラメータを含み、
空きメモリ空間の前記別の量の前記指示は、前記メモリユニットに関して与えられる、Ｃ８７に記載の装置。
［Ｃ８９］
ワイヤレス通信のための方法であって、
ワイヤレスノードへの送信のために１つまたは複数のパラメータを出力することと、前記１つまたは複数のパラメータはメモリを指定する、
前記メモリ中の空きメモリ空間の量を計算することと、
前記ワイヤレスノードへの送信のために空きメモリ空間の前記量の指示を出力することと、
を備える、方法。
［Ｃ９０］
前記１つまたは複数のパラメータは、メモリユニットのサイズを示すパラメータを含み、空きメモリ空間の前記量の前記指示は、前記メモリユニットに関して与えられる、Ｃ８９に記載の方法。
［Ｃ９１］
前記メモリのサイズと受信機バッファ容量（ＲＢＵＦＣＡＰ）フィールドの範囲とに基づいて、前記メモリユニットの前記サイズを計算することをさらに備える、Ｃ９０に記載の方法。
［Ｃ９２］
空きメモリ空間の前記量の前記指示を備えるブロック確認応答フレームを生成することと、
前記ワイヤレスノードへの送信のために前記ブロック確認応答フレームを出力することと、
をさらに備える、Ｃ８９に記載の方法。
［Ｃ９３］
空きメモリ空間の前記量の前記指示は、前記ブロック確認応答フレームの受信機バッファ容量（ＲＢＵＦＣＡＰ）フィールド中にある、Ｃ９２に記載の方法。
［Ｃ９４］
前記ＲＢＵＦＣＡＰフィールドは、前記メモリ中に空間がないことを示す第１の値または前記メモリ中の無制限の空間を示す第２の値を有する、Ｃ９３に記載の方法。
［Ｃ９５］
前記ワイヤレスノードからブロック確認応答の要求を受信すること、をさらに備え、  前記ブロック確認応答フレームは、前記ブロック確認応答の要求に応答して生成される、
Ｃ９２に記載の方法。
［Ｃ９６］
前記ワイヤレスノードによって送信請求されない前記ブロック確認応答フレームが生成される、Ｃ９２に記載の方法。
［Ｃ９７］
前記メモリ中の空きメモリ空間の前記量の変化を追跡することと、
前記変化をしきい値と比較することと、
をさらに備え、
前記変化が前記しきい値に等しいかまたはそれを上回る場合、前記ブロック確認応答フレームが生成される、
Ｃ９６に記載の方法。
［Ｃ９８］
前記ワイヤレスノードから追加ブロック確認応答（ＡＤＤＢＡ）要求を受信することと、前記ＡＤＤＢＡ要求は、前記ワイヤレスノードとのブロック確認応答セッションを要求する、
前記ＡＤＤＢＡ要求に応答して、ＡＤＤＢＡ応答を生成することと、ここにおいて、前記ＡＤＤＢＡ応答は、前記１つまたは複数のパラメータを備える、
前記ワイヤレスノードへの送信のために前記ＡＤＤＢＡ応答を出力することと、
をさらに備える、Ｃ８９に記載の方法。
［Ｃ９９］
前記１つまたは複数のパラメータを備える追加トラフィック（ＡＤＤＴＳ）要求を生成することと、
前記ワイヤレスノードへの送信のために前記追加トラフィック（ＡＤＤＴＳ）要求を出力することと、
前記ワイヤレスノードから、前記ＡＤＤＴＳ要求を確認応答するＡＤＤＴＳ応答を受信することと、
をさらに備える、Ｃ８９に記載の方法。
［Ｃ１００］
空きメモリ空間の前記量を計算することは、前記メモリに入るデータの量と前記メモリから解放されるデータの量とを追跡することを含む、Ｃ８９に記載の方法。
［Ｃ１０１］
前記メモリは複数のバッファを備え、前記１つまたは複数のパラメータは、バッファサイズとバッファごとのデータユニットの数に対する制限とを含む、Ｃ８９に記載の方法。
［Ｃ１０２］
前記１つまたは複数のパラメータは、複数の異なるメモリタイプのためのパラメータを含む、Ｃ８９に記載の方法。
［Ｃ１０３］
前記複数の異なるメモリタイプは、先入れ先出し方式（ＦＩＦＯ）メモリとバッファメモリとを含む、Ｃ１０２に記載の方法。
［Ｃ１０４］
前記ワイヤレスノードへの送信のためにインジケータを出力すること、をさらに備え、前記インジケータは、前記複数の異なるメモリタイプのうちの１つを示す、Ｃ１０２に記載の方法。
［Ｃ１０５］
前記ワイヤレスノードへの送信のためにブロック確認応答を出力すること、をさらに備え、前記ブロック確認応答は、前記複数の異なるメモリタイプのうちの前記１つを示す前記インジケータを備える、Ｃ１０４に記載の方法。
［Ｃ１０６］
前記ワイヤレスノードへの送信のために複数のトラフィック識別子を出力することと、前記トラフィック識別子の各々は、それぞれのデータトラフィックを識別する、
前記識別されたデータトラフィックのうちの少なくとも１つを介して、前記ワイヤレスノードからデータユニットを受信することと、
をさらに備える、Ｃ８９に記載の方法。
［Ｃ１０７］
前記メモリは複数のバッファを備え、前記１つまたは複数のパラメータは、単一のデータユニットが前記複数のバッファのうちの２つ以上の間で分割され得るかどうかを示すパラメータを含む、Ｃ８９に記載の方法。
［Ｃ１０８］
前記ワイヤレスノードへの送信のために能力要素を出力すること、をさらに備え、前記能力要素は、前記装置の１つまたは複数の能力を示す、Ｃ８９に記載の方法。
［Ｃ１０９］
前記ワイヤレスノードへの送信のために追加ブロック確認応答の応答を出力すること、をさらに備え、前記追加ブロック確認応答の応答は、前記追加ブロック確認応答の応答が、ブロック確認応答セッションを要求する追加ブロック確認応答の要求によって送信請求されない場合、０に設定されたダイアログトークンを含む、Ｃ８９に記載の方法。
［Ｃ１１０］
前記ワイヤレスノードへの送信のために別の指示を出力すること、をさらに備え、前記別の指示は、
前記装置にある空きメモリ空間の別の量、
前記メモリにおいて利用可能な空間がないこと、または
最大長を有する集約データユニットのために前記メモリ中に十分な空間があること、  を示す、
Ｃ８９に記載の方法。
［Ｃ１１１］
前記１つまたは複数のパラメータは、メモリユニットのサイズを示すパラメータを含み、
空きメモリ空間の前記別の量の前記指示は、前記メモリユニットに関して与えられる、Ｃ１１０に記載の方法。
［Ｃ１１２］
ワイヤレス通信のための装置であって、
ワイヤレスノードへの送信のために１つまたは複数のパラメータを出力するための手段と、前記１つまたは複数のパラメータはメモリを指定する、
前記メモリ中の空きメモリ空間の量を計算するための手段と、
前記ワイヤレスノードへの送信のために空きメモリ空間の前記量の指示を出力するための手段と、
を備える、装置。
［Ｃ１１３］
前記１つまたは複数のパラメータは、メモリユニットのサイズを示すパラメータを含み、空きメモリ空間の前記量の前記指示は、前記メモリユニットに関して与えられる、Ｃ１１２に記載の装置。
［Ｃ１１４］
前記メモリのサイズと受信機バッファ容量（ＲＢＵＦＣＡＰ）フィールドの範囲とに基づいて、前記メモリユニットの前記サイズを計算するための手段をさらに備える、Ｃ１１３に記載の装置。
［Ｃ１１５］
空きメモリ空間の前記量の前記指示を備えるブロック確認応答フレームを生成するための手段と、
前記ワイヤレスノードへの送信のために前記ブロック確認応答フレームを出力するための手段と、
をさらに備える、Ｃ１１２に記載の装置。
［Ｃ１１６］
空きメモリ空間の前記量の前記指示は、前記ブロック確認応答フレームの受信機バッファ容量（ＲＢＵＦＣＡＰ）フィールド中にある、Ｃ１１５に記載の装置。
［Ｃ１１７］
前記ＲＢＵＦＣＡＰフィールドは、前記メモリ中に空間がないことを示す第１の値または前記メモリ中の無制限の空間を示す第２の値を有する、Ｃ１１６に記載の装置。
［Ｃ１１８］
前記ワイヤレスノードからブロック確認応答の要求を受信するための手段、をさらに備え、前記ブロック確認応答フレームは、前記ブロック確認応答の要求に応答して生成される、Ｃ１１５に記載の装置。
［Ｃ１１９］
前記ワイヤレスノードによって送信請求されない前記ブロック確認応答フレームが生成される、Ｃ１１５に記載の装置。
［Ｃ１２０］
前記メモリ中の空きメモリ空間の前記量の変化を追跡するための手段と、
前記変化をしきい値と比較するための手段と、
をさらに備え、
前記変化が前記しきい値に等しいかまたはそれを上回る場合、前記ブロック確認応答フレームが生成される、
Ｃ１１９に記載の装置。
［Ｃ１２１］
前記ワイヤレスノードから追加ブロック確認応答（ＡＤＤＢＡ）要求を受信するための手段と、前記ＡＤＤＢＡ要求は、前記ワイヤレスノードとのブロック確認応答セッションを要求する、
前記ＡＤＤＢＡ要求に応答して、ＡＤＤＢＡ応答を生成するための手段と、ここにおいて、前記ＡＤＤＢＡ応答は、前記１つまたは複数のパラメータを備える、
前記ワイヤレスノードへの送信のために前記ＡＤＤＢＡ応答を出力するための手段と、  をさらに備える、Ｃ１１２に記載の装置。
［Ｃ１２２］
前記１つまたは複数のパラメータを備える追加トラフィック（ＡＤＤＴＳ）要求を生成するための手段と、
前記ワイヤレスノードへの送信のために前記追加トラフィック（ＡＤＤＴＳ）要求を出力するための手段と、
前記ワイヤレスノードから、前記ＡＤＤＴＳ要求を確認応答するＡＤＤＴＳ応答を受信するための手段と、
をさらに備える、Ｃ１１２に記載の装置。
［Ｃ１２３］
空きメモリ空間の前記量を計算すための前記手段は、前記メモリに入るデータの量と前記メモリから解放されるデータの量とを追跡するための手段を含む、Ｃ１１２に記載の装置。
［Ｃ１２４］
前記メモリは複数のバッファを備え、前記１つまたは複数のパラメータは、バッファサイズとバッファごとのデータユニットの数に対する制限とを含む、Ｃ１１２に記載の装置。
［Ｃ１２５］
前記１つまたは複数のパラメータは、複数の異なるメモリタイプのためのパラメータを含む、Ｃ１１２に記載の装置。
［Ｃ１２６］
前記複数の異なるメモリタイプは、先入れ先出し方式（ＦＩＦＯ）メモリとバッファメモリとを含む、Ｃ１２５に記載の装置。
［Ｃ１２７］
前記ワイヤレスノードへの送信のためにインジケータを出力するための手段、をさらに備え、前記インジケータは、前記複数の異なるメモリタイプのうちの１つを示す、Ｃ１２５に記載の装置。
［Ｃ１２８］
前記ワイヤレスノードへの送信のためにブロック確認応答を出力するための手段、をさらに備え、前記ブロック確認応答は、前記複数の異なるメモリタイプのうちの前記１つを示す前記インジケータを備える、Ｃ１２７に記載の装置。
［Ｃ１２９］
前記ワイヤレスノードへの送信のために複数のトラフィック識別子を出力するための手段と、前記トラフィック識別子の各々は、それぞれのデータトラフィックを識別する、  前記識別されたデータトラフィックのうちの少なくとも１つを介して、前記ワイヤレスノードからデータユニットを受信するための手段と、
をさらに備える、Ｃ１１２に記載の装置。
［Ｃ１３０］
前記メモリは複数のバッファを備え、前記１つまたは複数のパラメータは、単一のデータユニットが前記複数のバッファのうちの２つ以上の間で分割され得るかどうかを示すパラメータを含む、Ｃ１１２に記載の装置。
［Ｃ１３１］
前記ワイヤレスノードへの送信のために能力要素を出力するための手段、をさらに備え、前記能力要素は、前記装置の１つまたは複数の能力を示す、Ｃ１１２に記載の装置。
［Ｃ１３２］
前記ワイヤレスノードへの送信のために追加ブロック確認応答の応答を出力するための手段、をさらに備え、前記追加ブロック確認応答の応答は、前記追加ブロック確認応答の応答が、ブロック確認応答セッションを要求する追加ブロック確認応答の要求によって送信請求されない場合、０に設定されたダイアログトークンを含む、Ｃ１１２に記載の装置。
［Ｃ１３３］
前記ワイヤレスノードへの送信のために別の指示を出力するための手段、をさらに備え、前記別の指示は、
前記装置にある空きメモリ空間の別の量、
前記メモリにおいて利用可能な空間がないこと、または
最大長を有する集約データユニットのために前記メモリ中に十分な空間があること、  を示す、
Ｃ１１２に記載の装置。
［Ｃ１３４］
前記１つまたは複数のパラメータは、メモリユニットのサイズを示すパラメータを含み、
空きメモリ空間の前記別の量の前記指示は、前記メモリユニットに関して与えられる、Ｃ１３３に記載の装置。
［Ｃ１３５］
コンピュータ可読媒体であって、
ワイヤレスノードへの送信のために１つまたは複数のパラメータを出力することと、前記１つまたは複数のパラメータはメモリを指定する、
前記メモリ中の空きメモリ空間の量を計算することと、
前記ワイヤレスノードへの送信のために空きメモリ空間の前記量の指示を出力することと、
を行うためにその上に記憶された命令を備えるコンピュータ可読媒体。
［Ｃ１３６］
ワイヤレスノードであって、
別のワイヤレスノードに１つまたは複数のパラメータを送信するように構成された送信機と、前記１つまたは複数のパラメータがメモリを指定する、
前記メモリ中の空きメモリ空間の量を計算するように構成された処理システムと、
を備え、
前記送信機は、前記別のワイヤレスノードに空きメモリ空間の前記量の指示を送信するようにさらに構成される、
ワイヤレスノード。